(57)【特許請求の範囲】
【請求項１】
金管楽器の風路管の部分間に２つの隣接するほぼ平行な支柱を有する金管楽器において、前記平行な支柱の平面に対してほぼ平行な平面内に延在し、かつ前記平行な支柱のそれぞれの１つにそれぞれが固定されている２つの離間した接触領域と、該接触領域の間に凹状領域とを備える２つの対向した縁部を有する、クロス支柱を含み、それによって、他の風路ブレイシングの除去を可能にし、少なくとも１つの音変更部材の固定のための少なくとも１つの部位を提供する、改良された金管楽器。
【請求項２】
前記クロス支柱は、該クロス支柱の前記平面を横切る少なくとも１つの通し穴を有し、該通し穴は、音変更部材を収容するように構成されている、請求項１に記載の楽器。
【請求項３】
通し穴内に音変更部材をさらに含む、請求項２に記載の楽器。
【請求項４】
前記クロス支柱は、前記平行な支柱の平面に対してほぼ平行な平面内に延在する対向したほぼ平らな面を有し、複数の前記通し穴が該平らな面に配置されている、請求項３に記載の楽器。
【請求項５】
前記音変更部材は対応する前記通し穴内に調整可能に収容され、それによって、奏者の好みへの音変更を容易にする、請求項３に記載の楽器。
【請求項６】
前記音変更部材はピラーである、請求項３に記載の楽器。
【請求項７】
前記ピラーは、対応する前記通し穴内に調整可能に収容され、それによって、奏者の好みへの音変更を容易にする、請求項６に記載の楽器。
【請求項８】
調整を容易にするために、前記通し穴と該通し穴内の前記ピラーの少なくとも一部とが螺合している、請求項７に記載の楽器。
【請求項９】
前記螺合は前記ピラーと前記通し穴との間に締り嵌めを与える、請求項８に記載の楽器。
【請求項１０】
対向する縁部の接触領域及び凹状領域のそれぞれは、他方の対向する縁部の対応する領域と整合し、
前記クロス支柱は、それぞれ対応する対の接触領域を越えて延在する対向した端領域を有する、請求項１に記載の楽器。
【請求項１１】
前記端領域はそれぞれ、尖端領域に合流する一対の端縁を有する、請求項１０に記載の楽器。
【請求項１２】
前記尖端領域は前記クロス支柱の中心線に沿っており、互いに対称である、請求項１１に記載の楽器。
【請求項１３】
前記クロス支柱は、該クロス支柱の平面を横切る少なくとも１つの通し穴を有し、該通し穴は、音変更部材を収容するように構成されている、請求項１０に記載の楽器。
【請求項１４】
金管楽器の風路管を支えるクロス支柱であって、２つの対向した縁部を有するほぼ平らな一体の金属の本体を含み、該縁部の各々は、該金管楽器の一部への取り外し不可能な取り付けのための２つの離間した接触領域と、前記接触領域の間の凹状領域とを備え、それによって、他の風路ブレイシングの除去を可能にし、少なくとも１つの音変更部材の固定のための少なくとも１つの部位を提供する、クロス支柱。
【請求項１５】
前記本体は、該本体を横切る少なくとも１つの通し穴を有し、該通し穴は、音変更部材を収容するように構成されている、請求項１４に記載のクロス支柱。
【請求項１６】
通し穴内に音変更部材をさらに含む、請求項１５に記載のクロス支柱。
【請求項１７】
前記本体には複数の通し穴が配置されている、請求項１６に記載のクロス支柱。
【請求項１８】
前記音変更部材は、対応する前記通し穴内に調整可能に収容され、それによって、奏者の好みへの音変更を容易にする、請求項１６に記載のクロス支柱。
【請求項１９】
金管楽器の風路管の部分間に風路支柱を有する金管楽器において、少なくとも１つの支柱が、該金管楽器の一部への取り外し不可能な取り付けのための接触領域と、前記接触領域の間の領域とを備える２つの縁部を有するほぼ平らな一体の金属本体であり、該金属本体が少なくとも１つの音変更部材の固定のための少なくとも１つの部位を提供する、改良された金管楽器。
【請求項２０】
前記楽器がトランペットである、請求項１９に記載の楽器。
【請求項２１】
一対のほぼ平らな支柱を含む、請求項２０に記載の楽器。
【請求項２２】
金管楽器の風路管の部分間に風路支柱を有する金管楽器において、少なくとも１つの風路支柱が、音変更ピラーの調整可能な固定のための少なくとも１つの通し穴を含む音変更支柱であり、ピラーが該通し穴内に調整可能に固定される、改良された金管楽器。
【請求項２３】
各通し穴内にそれぞれ固定される複数のピラーを含む、請求項２２に記載の楽器。
【発明の詳細な説明】
【技術分野】
【０００１】
本発明は楽器に関し、より具体的には、金管楽器、及び該金管楽器の風路（windpath：空気の流れる経路）のブレイシング用の機構に関する。本発明は金管楽器の音変更にも関する。
【背景技術】
【０００２】
金管楽器から出る音は、数多くの物理的なパラメーターによって影響を受ける。よく知られているように、そのような音は、単に奏者が奏でる基音の周波数だけではなくそれ以上に楽器の様々な部分の共鳴も含み、それらの全てが、楽器によって生み出される音に「色」を与える。
【０００３】
奏者がマウスピースを介して空気を風路に送り込むことによって、楽器内の気柱を共鳴させると、金管楽器は楽音を発する。音形成のプロセスは非常に複雑であり、奏者の筋系及びその瞬間的な筋緊張を含みさえする。重要性のある、楽器の物理的なパラメーターには、風路管の材料及び材料厚さ、風路の形状、並びに用いるブレイシングの位置及びタイプがある。したがって、ブレイシングは、得られる音の特性の決定における重要な要素である。
【０００４】
奏者は多くの場合、楽器を或る特定の「吹奏感」を有するものとみなし、楽器の吹奏感は楽器の共鳴によって影響を受ける。吹奏感を変えることは、楽器の共鳴に影響する何かを変えることを伴う。奏者は、奏でる音楽のタイプに応じて、材料、形状、ブレイシング等が異なる複数の楽器を用いるという犠牲を払わずに楽器の吹奏感及び音を変えることができるようにしたいと望む。例えば、初期の音楽には、より現代的な音楽よりも軽快でより透明感のある音を必要とするため、単に楽器の調整を行うだけで多くの異なる種類の音を生み出すことができる金管楽器が必要とされている。
【０００５】
金管楽器の構成においては、支柱の数を制限することにより楽器に応力（stress：ストレス）がかからないようにすると共に製造コストも減らすことができるが、ブレイジングの使用は構造的完全性のために必要である。
【発明の概要】
【発明が解決しようとする課題】
【０００６】
本発明の目的は、楽器自体に用いられる材料の変更、ベルの形状の変更、並びに、風路管及び／又はベルの材料厚さの変更など（これらに限定されない）のようなことが求められる、多くの場合に広範にわたる所要の変更を伴わずに楽器の音を変える簡単な方法を提供することである。
【０００７】
本発明の楽器の別の目的は、様々な音変更部材を配置するための簡便なコスト効率の良い箇所を提供することである。
【０００８】
本発明の別の目的は、風路管の支柱の数を減らすことができる金管楽器を提供することである。
【０００９】
本発明のさらに別の目的は、一部のブレイシング（支柱）を除去しながらも楽器の構造的完全性を維持するか又は増大させる楽器を提供することである。
【００１０】
本発明のさらに別の目的は、楽器の「吹奏感」を容易に変更することができる楽器を提供することである。
【００１１】
本発明のさらに別の目的は、楽器の「吹奏感」を迅速に変更することができる楽器を提供することである。
【００１２】
本発明のさらに別の目的は、広範の種々の成果を生むように楽器の「吹奏感」を変更することができる楽器を提供することである。
【００１３】
本発明のこれらの目的及び他の目的は、以下の説明及び図面から明らかとなるであろう。
【課題を解決するための手段】
【００１４】
本発明は、改良された金管楽器に係り、そのような金管楽器は、該金管楽器の風路管の部分間に２つの隣接する実質的に平行な支柱を有し、その改良は、前記平行な支柱の平面に対して実質的に平行な平面内に延在すると共に、それぞれが、前記平行な支柱のそれぞれの１つに固定されている２つの離間した接触領域と、該接触領域の間に凹状領域とを備える２つの対向した縁部を有する、クロス支柱を含む。そのような改良によって、他の風路ブレイシングを除去することが可能になり、少なくとも１つの音変更部材の取付けのための少なくとも１つの部位が提供される。
【００１５】
前記改良された金管楽器の幾つかの実施の形態では、前記クロス支柱は該クロス支柱の前記平面を横切る
少なくとも１つの通し穴を有し、該通し穴はそれぞれ、音変更部材を嵌め込むように構成されている。
【００１６】
他の実施の形態では、前記改良された楽器は、通し穴内に音変更部材をさらに含む。
【００１７】
前記金管楽器の好適な実施の形態では、前記クロス支柱は、複数の通し穴が配置されている、前記平行な支柱の平面に対して実質的に平行な平面内に延在する対向した実質的に平らな面を有する。これらの実施の形態のうちの幾つかでは、前記音変更部材は対応する前記通し穴内に調整可能に収容され、それによって、奏者の好みへの音変更を容易にする。他の好適な実施の形態では、前記音変更部材はピラーである。
【００１８】
前記改良された金管楽器のさらに他の好適な実施の形態では、前記ピラーは、対応する前記通し穴内に調整可能に収容され、それによって、奏者の好みへの音変更を容易にし、これらの非常に好適な実施の形態のうちの幾つかでは、前記通し穴と該通し穴内の前記ピラーの少なくとも一部とが螺合し、調整が容易となる。これらの好適な実施の形態のうちの幾つかでは、前記螺合は前記ピラーと前記通し穴との間に締り嵌めを与える。
【００１９】
前記改良された金管楽器の非常に好適な実施の形態では、各対向した縁部の接触領域及び凹状領域のそれぞれは、他方の対向した縁部の対応する領域と整合し、前記クロス支柱は、それぞれ対応する対の接触領域を越えて延在する対向した端領域を有する。幾つかのそのような実施の形態では、前記端領域はそれぞれ、尖端領域に合流する一対の端縁を有する。さらに、これらの実施の形態のうちの幾つかでは、前記尖端領域は前記クロス支柱の中心線に沿っており、互いに対称である。
【００２０】
さらに他の実施の形態では、本発明は、金管楽器の風路管を支えるクロス支柱にかかる。該クロス支柱は、該金管楽器の一部への取り外し不可能な取り付けのためのそれぞれ２つの離間した接触領域と、前記接触領域の間の凹状領域とを備える２つの対向した縁部を有する実質的に平らな一体の金属の本体を含み、それによって、少なくとも１つの音変更部材の固定のための少なくとも１つの部位を提供する。
【００２１】
本発明の幾つかの実施の形態では、前記クロス支柱は前記風路管の部分間に架かり、幾つかの楽器は一対のクロス支柱を含む。
【００２２】
金管楽器の風路管の部分間に風路支柱を有する前記改良された金管楽器の他の実施の形態では、その改良は、該金管楽器の一部への取り外し不可能な取り付けのための接触領域と前記接触領域の間の領域とを備える２つの縁部を有する実質的に平らな一体の金属本体である少なくとも１つの支柱を含み、該本体が少なくとも１つの音変更部材の固定のための少なくとも１つの部位を提供する。本発明の楽器の幾つかはトランペットであり、該トランペットの幾つかは一対のクロス支柱を含むことができる。
【００２３】
金管楽器の風路管の部分間に風路支柱を有する金管楽器の他の幾つかの実施の形態では、少なくとも１つの風路支柱は、音変更ピラーの調整可能な固定のための少なくとも１つの通し穴を含む音変更を行うための支柱であり、ピラーはそのような通し穴内に調整可能に固定される。これらの実施の形態のうちの幾つかは、各通し穴内にそれぞれ固定される複数のピラーを含む。
【００２４】
楽器の種類を述べるための「金管」という用語の使用は、当然のことながら、そのような楽器が作製される材料を限定しているのではなく、トロンボーン、トランペット、ユーフォニューム、チューバ、フレンチホルン等を含むがそれらに限定されない楽器のカテゴリーを指す。
【００２５】
本明細書で用いられている「尖端領域」という用語は、端部に向かって尖っている方向に対して横断方向の寸法が端部に向かって減少している構造体の端部を指す。尖端領域は、横断方向の寸法が、尖鋭な点に、又は丸みのある点に、又は横断寸法が減少する他の種々の形状に、減じていくようにすることができる。
【００２６】
本明細書で用いられている「ピラー」という用語は、クロス支柱を通るか又はクロス支柱から延びていると共に、概して一定の断面を有するロッド状構造体を指す。ピラーは円形断面を有することができるが、そのような形態に限定されない。さらに、ピラーはその長さ方向に沿って螺刻されいるか又は部分的にねじ切りされていてもよい。
【図面の簡単な説明】
【００２７】
【図１】従来技術のトロンボーン（金管楽器）の斜視図である。
【図２】マウスピースが取り外されている改良型楽器（トロンボーン）の一実施形態の斜視図である。
【図３】図２の実施形態の本発明のクロス支柱の斜視図である。
【図４Ａ】本発明のクロス支柱の斜視図である。
【図４Ｂ】図４Ａの本発明のクロス支柱の３つの正射投影図のうち１つの正射投影図である。
【図４Ｃ】図４Ａの本発明のクロス支柱の３つの正射投影図のうち１つの正射投影図である。
【図４Ｄ】図４Ａの本発明のクロス支柱の３つの正射投影図のうち１つの正射投影図である。
【図５】図２の楽器において取り付けられた本発明のクロス支柱の一実施形態の斜視図であり、該クロス支柱には様々な長さの３つの音変更部材（ピラー）が設けられている。
【図６】図２の楽器において種々の長さに調整された音変更部材（ピラー）を示す、図５の斜視図の一部を示す図である。
【図７】図２の楽器において種々の長さに調整された音変更部材（ピラー）を示す、図５の斜視図の一部を示す図である。
【図８】種々の材料から作製され、図２の楽器において種々の長さに調整された音変更部材（ピラー）を示す、図５の斜視図の一部を示す図である。
【図９】種々の材料から作製され、図２の楽器において種々の長さに調整された音変更部材（ピラー）を示す、図５の斜視図の一部を示す図である。
【図１０】種々の材料から作製され、図２の楽器において種々の長さに調整され、かつ、３つの音変更部材のうち２つが変更されたピラーを含む、音変更部材（ピラー）を示す、図５の斜視図の一部を示す図である。図５〜図１０に示す音変更部材の変形形態の全ては、ユーザーの要求に応じて図２の楽器の音を変える。
【図１１】本発明の２つのクロス支柱が風路管の部分間に架かっているこの例ではトランペットである、本発明の楽器の別の実施形態の斜視図である。
【図１２Ａ】図１のトロンボーンのような従来技術のトロンボーンによる代表的な音色の周波数スペクトルを示す図である。
【図１２Ｂ】図２の改良型トロンボーンによる代表的な音色の周波数スペクトルを示す図である。
【図１２Ｃ】図２の改良型トロンボーンによる代表的な音色の周波数スペクトルを示す図である。
【図１２Ｄ】図２の改良型トロンボーンによる代表的な音色の周波数スペクトルを示す図である。
【図１２Ｅ】図２の改良型トロンボーンによる代表的な音色の周波数スペクトルを示す図である。
【図１２Ｆ】図２の改良型トロンボーンによる代表的な音色の周波数スペクトルを示す図である。
【図１２Ｇ】図２の改良型トロンボーンによる代表的な音色の周波数スペクトルを示す図である。
【図１２Ｈ】図２の改良型トロンボーンによる代表的な音色の周波数スペクトルを示す図である。
【発明を実施するための形態】
【００２８】
図１は、従来技術のテナートロンボーン１である金管楽器のＦバルブセクションの斜視図であり、そのような楽器の要素の多くを本発明の新規の金管楽器が含んでいるため、該楽器の多くの要素を図１に明記している。図１の従来技術のトロンボーン１は、Ｂ♭チューニングスライド（tuning slide：抜差管）３を有するＢ♭ラップ（wrap）２を含み、このＢ♭チューニングスライド３がチューニングスライド受け部５内を摺動することで、奏者がトロンボーン１のピッチを微調整することができる。Ｂ♭チューニングスライド３は２つのフェルール９により取り付けられた支柱７を含み、チューニングスライド受け部５は２つのフェルール１３により取り付けられた支柱１１を含む。支柱７及び１１はスライド３及び受け部５にそれぞれ構造を与えている。
【００２９】
従来技術のトロンボーン１は、Ｆ分岐管（F branch）（すなわちＦラップ）１５も有し、該Ｆ分岐管１５は、Ｆロータリーバルブ（rotor valve）１７が作動したときにトロンボーン１の風路に含められる（長さを加える）。Ｆ分岐管１５は、Ｆチューニングスライド１９を含み、このＦチューニングスライド１９がチューニングスライド受け部２１内を摺動することで、Ｂ♭チューニングスライド３と同様にトロンボーン１のピッチを奏者が微調整することができる。Ｆチューニングスライド１９は２つのフェルール２５により取り付けられている支柱２３を含み、チューニングスライド受け部２１は支柱２７を含む。支柱２３及び２７はスライド１９及び受け部２１にそれぞれ構造を与えている。
【００３０】
従来技術のトロンボーン１は２つの支柱２９も含み、該支柱２９によって、Ｂ♭チューニングスライド受け部５とＦチューニングスライド受け部２１が構造上接続されている。
【００３１】
図１は、トロンボーン１のベル３１をごくわずかな部分だけ示している。
【００３２】
図２は、マウスピースが取り外されている改良型楽器（改良型トロンボーン３０）の一実施形態の斜視図である。（従来技術のトロンボーン１の部材と同様の、トロンボーン３０の部材には、図１における従来技術のトロンボーン１の記載におけるものと同じ参照符号が与えられている。）図２は、トロンボーン３０の主要な伸縮式スライド３３を示しており、該伸縮式スライド３３により奏者が風路管の長さを変えることで、トロンボーン３０が生み出す音の基本周波数（ピッチ）を変える。
【００３３】
改良型トロンボーン３０は、２つの平行な支柱３７及び１１に固定されているクロス支柱３５を含む。支柱３７はトロンボーン３０のＦラップ１５内にあり、支柱１１はトロンボーン３０のＢ♭ラップ２内にある。
【００３４】
図３及び図４に示すように、クロス支柱３５は横方向の３つの通し穴３９を含み、これらの通し穴３９に音変更部材４１を差し込むことができる。（図２には、そのような音変更部材４１が１つ取り付けられている。）クロス支柱３５は単独で、音変更部材４１を加えずとも、有意義なやり方でそれ自体がトロンボーン３０の共鳴を変更することに留意されたい。横方向の３つの通し穴３９を有するクロス支柱３５のこの実施形態では、奏者の要求に応じて、１つ、２つ又は３つの音変更部材４１の任意の組合せを用いることができる。
【００３５】
再び図３及び図４を参照すると、クロス支柱３５は支柱１１及び３７に対して実質的に平行な平面内に延びており、２つの対向した縁部４５に沿った４つの離間した接触領域４３を含む。対向した縁部４５のうち一方におけるそのような離間した接触領域４３のうち一対は支柱１１と接触し、他方の対向した縁部４５における離間した接触領域３４のうち他方の対は支柱３７と接触し、これらの接触領域は、構造的な接続部が例えばはんだ付け及び／又はロウ付けのプロセス（これらに限定されない）によって形成されるエリアを提供することで、強度のある構造的な接続部及び音経路の双方を提供する。クロス支柱は２対の離間した接触領域４３間に２つの凹状領域４７を含む。一方の対向した縁部４５の各離間した接触領域４３及び各凹状領域４７は、他方の対向した縁部４５の対応する領域と整合している。
【００３６】
また、図３及び図４に示すように、クロス支柱３５は２つの対向した端領域４９も有し、この対向した端領域４９は、対応する対向した対の離間した接触領域４３を越えて延びている。そのような端領域４９はそれぞれ、一対の端縁５１を有し、該端縁は対応する尖端領域５３に合流している。尖端領域５３は、クロス支柱３５の中心線５５に沿っており、互いに対称である。
【００３７】
図５は、図２の楽器において取り付けられた本発明のクロス支柱３５の一実施形態の斜視図である。この実施形態では、クロス支柱３５には３つの音変更部材４１、この例では３つの異なる長さのピラー４１が収容されている。ピラー４１は横方向の３つの通し穴３９に取り付けられている。ピラー４１及び通し穴３９は螺合し、ピラー４１が通し穴３９との締まり嵌めにより適所にしっかり保持されるようにサイズ決めされている。
【００３８】
図６及び図７はそれぞれ、図５の斜視図の一部を示し、各図は、トロンボーン３０を演奏する奏者の好みに応じて種々の音質又は「吹奏感」を生み出すようにトロンボーン３０において種々の長さに調整された音変更部材４１（ピラー４１）を示す。
【００３９】
図５〜図７では、ピラー４１は、該ピラー４１が作製される材料がこの例では銅であることを示すように描かれている。図８〜図１０では、ピラー４１を製造するために種々の材料が用いられることを示すために、ピラー４１が描かれていると共に符号が付されている。ピラー４１Ａは真鍮製であり、ピラー４１Ｂは銅製であり、ピラー４１Ｃはニッケル製であり、ピラー４１Ｄはニッケル製であり、ピラー４１Ｅは真鍮製である。図示の実施形態では、音変更部材４１（ピラー４１）は全て金属材料製である。しかしながら、このことは、使用することができる材料を限定することを決して意図するものではない。セラミック、複合材、繊維充填複合材及び木材等の材料が広範の音特性を有し、この音特性を用いて、ここでも同様に奏者の必要に応じて楽器の音を変えることができる。材料自体及び材料の硬度の双方、並びに音変更部材の幾何学形状が、楽器の共鳴に影響する。
【００４０】
図１０において、音変更部材４１Ａ及び４１Ｂは、それぞれねじ付き金属ナット５７を含むように変更されたピラーであり、このナット５７がピラー４１Ａ及び４１Ｂの音特性を変える。ナット５７は任意の適した金属製とすることができるが、金属であることに限定されない。ナット５７は、トロンボーン３０の演奏音の調整に別の「自由度」を提供する。ナット５７は、音変更部材４１の音特性を変えることができる数多くの方法の一例にすぎない。ナット５７は、締められると、ピラー４１及びクロス支柱３５における内部応力を変え、これにより、そのような部材の音特性を変えることができる。
【００４１】
図５〜図１０に示す各種の音変更部材４１の全てが、改良型トロンボーン３０の音を、トロンボーン３０を奏でる奏者の好みに応じて変える。
【００４２】
図１１は、２つの支柱６１が風路管の部分間に架かっている、改良型楽器（この例ではトランペット６０）の別の実施形態の斜視図である。（図１１では、トランペット６０は、支柱６１の位置をよりわかり易く示すために風路管の幾つかの部分が取り除かれている。トランペット６０のマウスピースは図示されていない。）図１１では、支柱６１はそれぞれ、金管楽器の一部への取り外し不可能な取り付けのための接触領域６７のある２つの縁部６５と、接触領域６７間に少なくとも１つの音変更部材の固定のための３つの部位７１を提供する領域６９とを有する実質的に平らな一体の金属体６３である。上記のような音変更部材である１つのピラー４１が図１１に示されている。
【００４３】
そのようなブレイシングの使用は、支柱６１の位置と、音変更部材４１（１つを図示）を差し込むことができる横方向のより多くの通し穴３９の存在との双方によって、音変更のさらにより多くの「自由度」を奏者に与える。支柱６１はそれ自体が音変更支柱である。
【００４４】
図２〜図１０のクロス支柱３５の実施形態は、該クロス支柱３５が固定される平行な支柱１１及び３７の平面に対して実質的に平行な平面内に延びている。同様に、図１１の支柱６１の実施形態はクロス支柱３５の物理的な形状と同じ物理的な形状を有しているが、支柱６１が楽器６０（この例ではトランペット６０である）に固定される種々の領域がある。支柱６１の幾何学形状は、これらの実施形態の幾何学形状とは異なるものとすることができ、そのような形状を有することに限定されない。例えば、支柱６１は、音変更部材４１を収容して含むように改変された、楽器６０の既存の支柱とすることができる。
【００４５】
ここで図１２Ａ〜図１２Ｈを参照すると、図１２Ａは、従来技術のトロンボーン１による代表的な音色の周波数スペクトルである。図１２Ｂ〜図１２Ｈは、トロンボーン３０による代表的な音色の周波数スペクトルである。各周波数スペクトルは、音の周波数に応じた相対的な音の振幅をデシベル（ｄｂ）で示す。各スペクトルの横軸は１０Ｈｚ〜２２．５ｋＨｚの周波数の対数目盛である。図１２Ａ〜図１２Ｈのそれぞれの代表的な音色は、スペクトル間の比較が有意義になるように熟練奏者によって可能な限り同じ様式で奏でられた同じ楽音（同じ基本ピッチ）である。図１２Ｂ〜図１２Ｈは、様々な構成間で、音変更部材の任意の特定の構成とのスペクトルの特定の相関なく得ることができる音の違いを示すことを意図されている。
【００４６】
図１２Ａ〜図１２Ｈのそれぞれに関して挙げられている解説は、図示のように各図に関して構成されたような、トロンボーン３０で代表的な音色を奏でた熟練奏者によってなされた。平均的な聴者の耳には全く小さなものである可能性がある楽器の「吹奏感」の違いは、実際には、熟練奏者の耳には大きなものである可能性があり、奏者が或る特定の楽曲をどのように表現することを望むかにとって重要であることに留意されたい。なされた解説は、図１２Ａ〜図１２Ｈに見ることができる音のスペクトルの比較のほんのわずかな部分である。
【００４７】
図１２Ｂは、音変更部材が全く加えられていないクロス支柱３５を含むように構成されたトロンボーン３０で奏でられた代表的な音色の周波数スペクトルである。熟練奏者によれば、この楽器は図１２Ａのトロンボーン１よりも多くの共鳴を感じ、より速く感じるとのことであった。この違いは、図１２Ａ及び図１２Ｂそれぞれの領域１０１及び１０３が示すような高中域周波数においてより多くの音エネルギーとして少なくとも部分的に示されている。領域１０３は、示した周波数範囲において領域１０１よりも比較的多くのエネルギーを含んでいる。
【００４８】
図１２Ｃは、３つの異なる長さの３つのねじ付き銅製ピラー４１で構成されている音変更部材が設けられたクロス支柱３５を含むように構成されたトロンボーン３０で奏でられた代表的な音色の周波数スペクトルである。図１２Ｄは、図１２Ｃの場合と同様に構成されているが、ただし最長の銅製ピラー４１がその通し穴３９において調整されている音変更部材が設けられたクロス支柱３５を含むように構成されたトロンボーン３０で奏でられた代表的な音色の周波数スペクトルである。熟練奏者によれば、図１２Ｄの楽器には、図１２Ｃの楽器よりも「開放的」で「自由な吹奏」感を感じ、より「拡がりがある」（「集中的」ではない）ように聞こえるとのことであった。「拡がりがある」とは、比較的より多くの高周波数倍音を示し、「集中的である」とは比較的少ない高周波数倍音を示す。これらの違いは、図１２Ｃ及び図１２Ｄそれぞれの領域１０５及び１０７が示すような周波数範囲においてより多くの音エネルギーとして少なくとも部分的に示されている。領域１０７は、示した周波数範囲において領域１０５よりも比較的多くのエネルギーを含んでいる。
【００４９】
図１２Ｅは、図１２Ｄの場合と同じように構成されているがただし１つのニッケル製ピラー４１を有する音変更部材が設けられたクロス支柱３５を含むように構成されたトロンボーン３０で奏でられた代表的な音色の周波数スペクトルである。図１２Ｆは、種々の長さの３つのニッケル製ピラー４１で構成された音変更部材が設けられたクロス支柱３５を含むように構成されたトロンボーン３０で奏でられた代表的な音色の周波数スペクトルである。
【００５０】
図１２Ｅの楽器と図１２Ｆの楽器の比較では、熟練奏者によれば、図１２Ｆの楽器には、基本周波数（奏でられる音符のピッチ）で「より滑らかに」、かつ、より透明感を感じ、図１２Ｅの楽器には、より多くの中域倍音で「より幅広く」感じるとのことであった。これらの違いは、図１２Ｅの領域１０９及び１１１と図１２Ｆの領域１１３及び１１５を比較することで少なくとも部分的に示されている。領域１０９と１１３の比較では、領域１１３の基本周波数付近の周波数範囲のスペクトルは、領域１０９よりも基本周波数付近でかなり低いエネルギーを含んでいる。したがって、音は図１２Ｆの楽器に関して基本周波数で「より滑らか」である。領域１１１と１１５の比較により、図１２Ｅの楽器が、図１２Ｆの楽器よりも多くの中域高値（mid-range highs）を有することが示されている。
【００５１】
図１２Ｇは、１つのニッケル製音変更部材４１が設けられたクロス支柱３５を含むように構成されたトロンボーン３０で奏でられた代表的な音色の周波数スペクトルである。図１２Ｈは、図１２Ｇのトロンボーン３０と同一に構成されているがただしニッケル製ピラーの代わりに銅製ピラーを有する１つの音変更ピラー４１が設けられたクロス支柱３５を含むように構成されたトロンボーン３０で奏でられた代表的な音色の周波数スペクトルである。熟練奏者によれば、図１２Ｈの楽器には、図１２Ｇの楽器よりも「安定」感を感じ、より「心地よく」感じるとのことであった。これらの違いは、図１２Ｇ及び図１２Ｈそれぞれの領域１１７及び１１９によって少なくとも部分的に示されている。領域１１９は領域１１７の対応する周波数範囲におけるよりも比較的多くのエネルギーを示している。
【００５２】
本発明の原理を特定の実施形態に関して説明してきたが、これらの記載は例としてなされているにすぎず、本発明の範囲を限定することは意図されないことを理解されたい。
【図１】
0005389942.tif 000002
【図２】
0005389942.tif 000003
【図３】
0005389942.tif 000004
【図４Ａ】
0005389942.tif 000005
【図４Ｂ】
0005389942.tif 000006
【図４Ｃ】
0005389942.tif 000007
【図４Ｄ】
0005389942.tif 000008
【図５】
0005389942.tif 000009
【図６】
0005389942.tif 000010
【図７】
0005389942.tif 000011
【図８】
0005389942.tif 000012
【図９】
0005389942.tif 000013
【図１０】
0005389942.tif 000014
【図１１】
0005389942.tif 000015
【図１２Ａ】
0005389942.tif 000016
【図１２Ｂ】
0005389942.tif 000017
【図１２Ｃ】
0005389942.tif 000018
【図１２Ｄ】
0005389942.tif 000019
【図１２Ｅ】
0005389942.tif 000020
【図１２Ｆ】
0005389942.tif 000021
【図１２Ｇ】
0005389942.tif 000022
【図１２Ｈ】
0005389942.tif 000023